(57)【要約】【課題】バリヤーフリーの観点から、キーを指で押し込む（摘みながら押し込む場合も含む）ことにより、錠前を容易に解錠することができること。また、構成部材を容易に組み合わせることができること。【解決手段】円柱状カム１の外面にカム係合部３及び先端面１ａにブレード部分２を有するキー本体Ｋと、前記カム１に外嵌合すると共に、前記カム係合部３に係合するカーブ状制御案内部４を有する収納ケース１０とから成る錠前用キー。【選択図】図１
2007162230.tif 000002
【特許請求の範囲】
【請求項１】
円柱状カムの外面にカム係合部及び先端面にブレード部分を有するキー本体と、前記カムに外嵌合すると共に、前記カム係合部に係合するカーブ状制御案内部を有する収納ケースとから成る錠前用キー。
【請求項２】
請求項１に於いて、キー本体１が収納ケース１０から外れないように収納ケースの端部にキャップ状、前壁環状、突起状の何れかの係止手段１０ｂが設けられていることを特徴とする錠前用キー。
【請求項３】
請求項１に於いて、収納ケースには、該収納ケースの内面とカムの一側外面との間に復帰バネ２０が内装されていることを特徴とする錠前用キー。
【請求項４】
請求項１に於いて、キー本体のブレード部分を錠前の鍵穴に差し込み、収納ケース１０を指で押し込むと、キー本体Ｋは、カム係合部３と制御案内部４との摺接関係により、かつ、収納ケース１０の水平移動に連動して解錠方向へ回転することを特徴とする扉の錠前用キー。
【請求項５】
請求項１に於いて、キー本体の円柱状カム１とブレード部分２は一体成形されていることを特徴とする錠前用キー。
【請求項６】
請求項１に於いて、キー本体は、円柱状カム１と、該カム１の係合溝に差込み可能なブレード片２とから成ることを特徴とする錠前用キー。
【請求項７】
請求項１に於いて、カム又は収納ケースのいずれかに形成された制御案内部４Ａは、キー本体を解錠方向及び施錠方向の両方に回転させることができるように左右対称に形成されていることを特徴とする錠前用キー。
【発明の詳細な説明】
【技術分野】
【０００１】
本発明は、マンションや一戸建ての玄関扉（玄関ドア）に取付けられた錠前用キーに関する。
【背景技術】
【０００２】
一般家庭の玄関ドアには、通常、ドアの外側から鍵（以下、「キー」という。）の差込み、かつ、回転操作で施・解錠する通常の錠前が取付けられている。
【０００３】
この種の錠前用のキーは、扉の自由端部側に面付け、内設等の状態で取付けられた錠前を、解錠又は施錠するための操作手段であると認識されている。例えば可動障害子（ピンタンブラー）を有するシリンダー錠がサムターン装置とセットの状態で錠箱に取付けられ、扉の室外側からシリンダー錠の鍵穴にキーのブレード部分を差込むと、可動障害子が内筒体と外筒体のシャライン（内筒体が回転可能な状態）に揃うので、キーを時計方向或いは反時計方向へ９０度回転することができる。人々が、毎日、外出時や帰宅時に行っている行為である。
【０００４】
付言すれば、キーをシリンダー錠の鍵穴に挿入して、かつ、解錠方向又は施錠方向へ所定量回転操作すると、該操作力により、「ダルマ」と称される駆動腕が所定量回転して、デッドボルトと称される厚みのある長板状の施錠片が、戸枠の横向き凹所に設けた受け金具の蓋板状のストライクの矩形状係合孔に対して進退動（係脱）する。
【０００５】
ところで、キーは、少なくとも解錠時に摘み部分を回転操作することが必要であるが、指が不自由な方、身体障害者、高齢者等を対象にバリヤーフリーの観点から、商品を検討した場合には、解錠時にキー本体を指の操作力で容易に回すことができることが望まれる。
【０００６】
特許文献１は、キーの摘み部分に工夫を施してキーの回転力の容易化を図ろうとするものである。すなわち、特許文献１のキーは、キー本体から横方向に突出させることができる操作板をキー本体の摘み部分に軸支し、例えば解錠時（キー本体を回転させる時）、まず、指で前記操作板を横方向に回してキー本体から突出させ、次にキー本体を錠前に差込み、かつ、操作板に力を加えながら摘み部分を捻る。そうすると、操作板及び摘み部分でキー本体を回すことができるから、少ない力で大きな回転力が得られる。
【０００７】
しかしながら、上記構成のキーは、操作時に操作板を解錠又は施錠位置まで回さなければならないという問題点がある。
【０００８】
そこで、少なくとも解錠時にキーを容易に回すことができる錠前用キーの出現が要望されている。
【特許文献１】特開平６−１１０８９１７号公報
【発明の開示】
【発明が解決しようとする課題】
【０００９】
本発明の第１の目的は、バリヤーフリーの観点から、キーを指で押し込む（摘みながら押し込む場合も含む）ことにより、錠前を容易に解錠することができることである。第２の目的は、構成部材を容易に組み合わせることができることである。第３の目的は、簡単な構成の切換え手段により、錠前用キーを解錠方向及び施錠方向の両方に回転させることができることである。
【課題を解決するための手段】
【００１０】
本発明の錠前用キーは、円柱状カム１の外面にカム係合部３及び先端面１ａにブレード部分２を有するキー本体Ｋと、前記カム１に外嵌合すると共に、前記カム係合部３に係合するカーブ状制御案内部４を有する収納ケース１０とから成ることを特徴とする。
【発明の効果】
【００１１】
（ａ）バリヤーフリーの観点から、キーを指で押し込むことにより、錠前を容易に解錠することができる。
（ｂ）ケース本体にキー本体Ｋを入れ、キャップ状の係止手段を前記ケース本体に螺着する実施例の場合には、構成部材を容易に組み合わせることができる。
（ｃ）簡単な構成の切換え手段により、錠前用キーを解錠方向及び施錠方向の両方に回転させることができる。
（ｄ）請求項３に記載の発明は、キー本体Ｋを解錠方向又は／及び施錠方向の両方に回転させた場合に於いて、収納ケース１０から指を離すと、収納ケースは自動的に初期位置へと戻る。また、復帰バネ２０が発明の限定要件である場合に於いても、上記の発明の効果に変わりはない。
【発明を実施するための最良の形態】
【００１２】
以下、図１乃至図５に示す本発明を実施するための最良の形態（第１実施例）により説明する。
【００１３】
（１）発明の実施の環境
図１は第１実施例の分解斜視図である。図２は要部（キー本体Ｋと復帰バネ２０）を示す概略説明図、図３はケース本体１０ａにキー本体Ｋと復帰バネ２０を入れた概略説明図、図４は、図３の状態に於いて、キュップ状の係止手段１０ｂをケース本体１０ａに螺合した概略説明図である。
【００１４】
まず、Ｘは日常生活で普通一般に使用するキーである。次に、キーＸはキー本体Ｋと、収納ケース１０と、復帰バネ２０とから成る。そして、前記キー本体Ｋは、カム１と、該カム１の先端面１ａから連続的に突出するブレード部分２とから成る。一方、前記収納ケース１０はケース本体１０ａと、該ケース本体１０ａに着脱自在に螺着するキュップ状の係止手段１０ｂとから成る。
【００１５】
付言すれば、本実施例のキーＸは、円柱状カム１の外面にカム係合部３及び先端面１ａにブレード部分２を有するキー本体Ｋと、前記カム１に外嵌合すると共に、前記カム係合部３に係合するカーブ状制御案内部４を有する収納ケース１０と、該収納ケースの内面と前記カムの一側外面との間に内装された復帰バネ２０とから成る。
【００１６】
したがって、キーＸは、キー本体Ｋと、収納ケース１０と、復帰バネ２０の「三部品」の組み合わせにより構成されている。本発明の特定要件（三部品）について順次説明する。
【００１７】
（２）キー本体Ｋ
まず、キーＸのキー本体Ｋを説明する。キー本体Ｋのカム１は、中空又は中実である。しかして、１ａはカム１の先端面、１ｂはカム１の円柱状外面、１ｃはカム１の後端面（一側外面）である。２は前記先端面１ａから突出するブレード部分２で、該ブレード部分２は、建具の扉（例えば玄関ドア）に設けられた錠前ａの鍵穴ｂに差込み可能である（図５参照）。
【００１８】
本実施例のキー本体Ｋは、円柱状カム１とブレード部分２は金属で一体成形されている。もちろん、ブレード部分（基端部を有するブレード片）２は金属であり、一方、円柱状カム１は硬質の合成樹脂材であっても良い。円柱状カム１が硬質の合成樹脂材で形成されている実施例の場合には、円柱状カム１の先端面１ａから後端面１ｃに向かって形成された多角形形状開口の係合溝（嵌合溝）にブレード片２の基端部を差込むことも可能である。
【００１９】
したがって、本発明のキー本体Ｋには、ブレード部分２に円柱状のカム１が連設形成されている場合のみならず、円柱状カム１と、該カム１の図示しない係合溝に差込み可能なブレード片２とから成る物も含む。
【００２０】
３は円柱状の外面１ｂに形成されたカム係合部で、本実施例では、先端面１ａ寄りの適宜部位に突出形成された、或いは取付け穴に植設された小さな係合突起である。この係合突起３は、収納ケース１０のカーブ状制御案内部４に係合する。
【００２１】
なお、カム係合部３は、本実施例では小突起（カム突起）であるが、もちろん、前記制御案内部４を凸状にした場合には、該小突起（カム突起）３は逆にカーブ状係合凹所（カム凹所）に設計変更され得る。また、カム係合部３を複数個設けた場合には、収納ケース１０にはカム係合部３の数に対応して複数個のカーブ状制御案内部４を形成する。
【００２２】
（３）収納ケース１０
次に、収納ケース１０について説明する。本実施例の収納ケース１０は、先端部１１に円形開口１２を有する円筒状のケース本体１０ａと、該ケース本体１０ａの先端部１１に螺着自在に螺合するキャップ状の係止手段１０ｂとから成る。前記ケース本体１０ａは、円柱状カム１を収納することができる大きさに形成されている。
【００２３】
しかして、１１はケース本体１０ａの先端部、１３は周胴部、１４は後端部である。本実施例では、ケース本体１０ａの先端部１１の外周に不番のオネジが形成され、一方、係止手段１０ｂの内周面に前記オネジに螺合する不番のメネジが形成されている。
【００２４】
環状前壁の中央部に円形形状の開口１６が形成さたれ係止手段１０ｂは、不番の環状前壁に周設された螺合部分を有している。収納ケース１０は、ケース本体１０ａの先端部１１に係止手段（ストッパー）１０ｂを備えているので、キー本体Ｋは、操作時、蓋機能を有する係止手段１０ｂに復帰バネ２０のバネ力が先端部側に作用してもケース本体１０ａから外れない。
【００２５】
なお、本実施例では、前記係止手段１０ｂはケース本体１０ａの先端部１１に設けられているが、もちろん、設計変更して、例えばケース本体１０ａの後端部１４に環状係止手段１０ｂを螺着する反面、前記先端部１１にブレード部分２が貫通する図示しない挿通孔を形成しても良い。
【００２６】
また、ケース本体１０ａにカム１を収納したキー本体Ｋが復帰バネ２０のバネ力により収納ケース１０の先端部から外れないように、キャップ状の係止手段１０ｂに代えて係止鍔（前壁環状）、複数個の係止突起等をケース本体１０ａの先端部１１に設けることもできる。要はキー本体Ｋが復帰バネ２０のバネ力により、収納ケース１０或いはケース本体１０ａから外れなければ良い。
【００２７】
前述したカーブ状制御案内部４は、図１で示すように、周胴部１３に先端部１１から後端部１４に向かって弧状に形成されている。本実施例のカーブ状制御案内部４は、図示しない扉の錠前を、少なくとも「解錠」又は「施錠」するだけで良い、という技術的思想に基づき、例えば「解錠」する場合を一例として所要の形状（長さ）に形成されている。
【００２８】
であるから、制御案内部４の一例としての案内長孔は、駆動部に相当し、一方、制御案内部４に係合する係合突起３は従動部に相当する。
【００２９】
（４）復帰バネ２０
復帰バネ２０は、収納ケース１０の後端部１４の内面１４ａと前記カムの後端部一側外面１ｃとの間に内装されている。本実施例の復帰バネ２０は、圧縮バネ（押しばね）である。
【００３０】
しかして、復帰バネ２０の一端部（先端部）には、カム１の後端面（一側外面）１ｃを滑動する曲面状の滑り片２１が取付けられている。また、復帰バネ２０の他端部は、ケース本体１０ａの後端部１４の内壁面に適宜に支持されている。なお、滑り片２１は、復帰バネ２０の従属的構成であることから、滑り片２１に代えて、例えば復帰バネ２０の一端部（先端部）を球状、半球状等にすることもできる。
【００３１】
（５）作用
図５は作用を示す説明図である。錠前を解錠する時、キーＸのブレード部分２を錠前ａの鍵穴ｂに差込み、そのままの状態で収納ケース１０（ケース本体１０ａ）の後端部１４の外面（表面）を矢印Ａ方向に指で押し込むと、キー本体Ｋのカム１は、係合突起３と制御案内部４との摺接関係により、かつ、ケース本体１０の水平移動に連動して解錠方向へ９０度回転する。この時、係合突起３は収納ケース体１０の制御案内部４の曲率に沿って後端部１４側へと位置変位する。
【００３２】
錠前を解錠したならば、そのままケース本体１０ａから指を離すと、キーＸのブレード部分２は錠前aの鍵穴bに差込み固定されていることから、復帰バネ２０のバネ力により、収納ケース１０（或いは設計如何により、ケース本体１０ａ）が回転する。そうすると、キー本体Ｋのカム１の係合突起３は初期位置へと自動的に戻る。
なお、復帰バネ２０が特定要件でない実施例の場合には、指で収納ケース１０を初期位置へと戻す。
【実施例】
【００３３】
発明の実施の形態で示した実施例に於いて、まず、復帰バネ２０の一端部にはカム１の後端面１ｃを滑動する曲面状の滑り片２１が取付けられているが、該滑り片２１の材質は滑動を良好にする合成樹脂材が適宜に選択される。また、カム１の後端面１ｃと滑り片２１の曲面状外面との間にグリスを塗布しても良い。
【００３４】
次に、キーＸの制御案内部４を、図６で示すようにして構成しても良い。すなわち、図６のキーＸ１の収納ケース１０Ａに形成された制御案内部４Ａは、キー本体Ｋを解錠及び施錠の方向に回転させることができるように左右対称に形成されている。なお、制御案内部４Ａは、キー本体Ｋのカム１又はケース本体１０ａのいずれかに形成しても良い。
【００３５】
本実施例のキーＸ、Ｘ１は、収納ケース（１０、１０Ａ）の押し込み操作により、収納ケース内のキー本体Ｋのカム１が所定方向（解錠方向又は／及び施錠方向）に回転するものであるが、押し込み操作の際、収納ケースを指で摘みながら押し込んでも良い。その際、収納ケースを左右何れかの方向に若干操作しながら押し込み操作しても「押し込み」の概念に含まれる。
【００３６】
要は、本発明の主たる目的との関係で、収納ケースを施・解錠するために所要量回す必要があると評価されない限り、切換え操作のために多少回しても「発明の本質的事項」は変わらない。
【００３７】
なお、本実施例の復帰バネ２０は、キー本体Ｋを解錠方向又は／及び施錠方向の両方に回転させた場合に於いて、収納ケースを自動的に初期位置へと戻すという発明の効果との関係では、本発明の特定要件となる。
【産業上の利用可能性】
【００３８】
本発明は、主に錠前や建具の業界で利用される。
【図面の簡単な説明】
【００３９】
図１乃至図５は本発明の最良の実施例を示す各説明図。図６は本発明の第２実施例。
【図１】第１実施例の分解斜視図。
【図２】要部の概略説明図、
【図３】ケース本体に復帰バネとキー本体を入れた状態の概略説明図。
【図４】構成部材を組み合わせた状態の概略断面説明図。
【図５】作用の説明図。
【図６】第２実施例の概略説明図。
【符号の説明】
【００４０】
Ｘ、Ｘ１…キー、Ｋ…キー本体、２…ブレード部分（ブレード片）、１…カム、１ａ…は先端面、１ｂ…円柱状外面、１ｃ…後端面（一側外面）、３…カム係合部、１０，１０Ａ…収納ケース、１０ａ…ケース本体、１０ｂ…係止手段、４、４Ａ…制御案内部、２０…復帰バネ、２１…滑り片、ａ…錠前、ｂ…鍵穴。
【図１】
2007162230.tif 000003
【図２】
2007162230.tif 000004
【図３】
2007162230.tif 000005
【図４】
2007162230.tif 000006
【図５】
2007162230.tif 000007
【図６】
2007162230.tif 000008